(57)【特許請求の範囲】
【請求項１】
陳列用フック（Ｃ）と、その陳列用フック（Ｃ）の端部に固着された係合枠（３１）とからなり、前記係合枠（３１）が正面パネル（３２）を有し、その正面パネル（３２）の上端に陳列ネット（７０）の等間隔に並ぶ横バー（７１）または陳列用フラットバー（８０）の上部に係合される上部フック片（３３）を設け、正面パネル（３２）の下端に前記横バー（７１）の下方の横バー（７１）または陳列用フラットバー（８０）の下部に圧接係合される下部フック片（３４）を設け、前記正面パネル（３２）にコの字形のスリット（３５）を、一対の縦スリット部（３５ａ）の端部間にわたる横スリット部（３５ｂ）が下部に位置するよう形成して、そのスリット（３５）の内側に前記陳列用フック（Ｃ）が固着される弾性変形可能な弾性片（３６）を設けた陳列用ハンガー。
【請求項２】
前記正面パネル（３２）の高さ方向の中央部に正面側に張り出す折曲げ部（３７）を形成して、前記弾性片（３６）の下端部を前記横スリット部（３５ｂ）の下側前部に対向させた請求項１に記載の陳列用ハンガー。
【発明の詳細な説明】
【技術分野】
【０００１】
この発明は、衣服等の商品を吊下げ支持する陳列用ハンガーに関するものである。
【背景技術】
【０００２】
陳列用ハンガーには、衣服を吊下げ支持する衣服陳列用ハンガーや、ブリスタパッケージで包装された比較的小物の商品を吊下げ支持する小物商品陳列用ハンガー等が存在する。
【０００３】
図３(ａ)は衣服陳列用ハンガーを示す。この衣服陳列用ハンガーにおいては、支軸部４０の上端に斜め下方に向けて傾斜する傾斜軸部４１を折曲げにより形成し、その傾斜軸部４１の上縁に衣服吊下げ用ハンガーのフック部が係合可能な複数の突軸４２を長さ方向に間隔をおいて設けている。
【０００４】
一方、小物商品陳列用ハンガーには、ブリスタパッケージに形成された吊下げ用の孔に挿入可能な軸部の先端部を上向けに折り曲げたシングルフックと称されるものと、そのシングルフックを上下に設けたダブルフックと称されるものが知られている。
【０００５】
衣服陳列用ハンガーおよび小物商品陳列用ハンガーのいずれの陳列用ハンガーも取付け具Ｂを有し、その取付け具Ｂを介して陳列枠の水平に延びる角形のフック支持バーに着脱自在に取付けられる。そのフック支持バーには、図３(ｂ)および(ｃ)に示すように、高さの低い第１フック支持バー５０ａと、高さの高い第２フック支持バー５０ｂの２種類が存在する。
【０００６】
上記２種類のフック支持バー５０ａ、５０ｂに対して陳列用ハンガーを着脱自在に取付ける取付け具Ｂとして、図３(ｂ)および(ｃ)に示したものが従来から知られている。この取付け具Ｂは、支軸部４０の下端部に溶接等の手段で固定されるコの字形支持枠６０の上部フランジ６１にフック支持バー５０ａ、５０ｂの一側面上部に係合可能な下向きの折曲げ片６２を設け、上記支持枠６０の下部フランジ６３にはねじ孔６４を形成し、そのねじ孔６４にねじ係合する締付けねじ６５の締付けによって支持枠６０をフック支持バー５０ａ、５０ｂに嵌合する状態で固定するようにしている。
【発明の概要】
【発明が解決しようとする課題】
【０００７】
ところで、上記従来の陳列用ハンガーの取付け具Ｂにおいては、締付けねじ６５の締付けによってフック支持バー５０ａ、５０ｂに支持枠６０を固定するため、その固定に際しては、締付けねじ６５を数回転させる必要があり、陳列用ハンガーの取付けに非常に手間がかかるという不都合がある。
【０００８】
この発明の課題は、複数の縦バーと複数の横バーとが格子状に配置された陳列ネット、あるいは、陳列用のフラットバーに対して陳列用ハンガーを極めて簡単に、短時間に取付けることができるようにすることである。
【課題を解決するための手段】
【０００９】
上記の課題を解決するために、この発明においては、陳列用フックと、その陳列用フックの端部に固着された係合枠とからなり、前記係合枠が正面パネルを有し、その正面パネルの上端に陳列ネットの等間隔に並ぶ横バーまたは陳列用フラットバーの上部に係合される上部フック片を設け、正面パネルの下端に前記横バーの下方の横バーまたは陳列用フラットバーの下部に圧接係合される下部フック片を設け、前記正面パネルにコの字形のスリットを、一対の縦スリット部の端部間にわたる横スリット部が下部に位置するよう形成して、そのスリットの内側に前記陳列用フックが固着される弾性変形可能な弾性片を設けた構成を採用している。
【００１０】
上記の構成からなる陳列用ハンガーにおいて、上部フック片を横バーあるいは陳列用フラットバーの上部に係合し、正面パネルの下端部を陳列ネットに向けて押し込むと、下部フック片が下側の横バーあるいは陳列用フラットバーの下部に圧接係合し、陳列ネットや陳列用フラットバーに陳列用ハンガーを簡単に取付けることができる。
【００１１】
上記陳列用ハンガーにおいて、正面パネルにコの字形のスリットを、一対の縦スリット部の端部間にわたる横スリット部が下部に位置するよう形成して、そのスリットの内側に前記陳列用フックが固着される弾性変形可能な弾性片を設けることによって、陳列用ハンガーが誤って押し込まれ、係合枠に上部係合片を中心に下部係合片がフック支持バーから離反する方向の回転モーメントが負荷されたとしても、弾性片が弾性変形して上記回転モーメントを吸収することになるため、陳列用ハンガーが誤って取り外されるのを防止することができる。
【００１２】
また、正面パネルの高さ方向の中央部に正面側に張り出す折曲げ部を形成して、前記弾性片の下端部を前記横スリット部の下側前部に対向させることにより、第２の発明と同様に、陳列用フックの上部を引くことによって弾性片の下端部で傾斜板部の下端部に押込み力を負荷することができるため、陳列用ハンガーをより簡単に取付けることができる。
【発明の効果】
【００１３】
この発明に係る陳列用ハンガーにおいては、上部フック片を横バーまたは陳列用フラットバーの上部に係合し、正面パネルの下端部を陳列ネットに向けて押し込むことにより、下部フック片が下側の横バーまたは陳列用フラットバーの下部に圧接係合するため、陳列ネットや陳列用フラットバーに対して陳列用ハンガーを簡単に取付けることができる。
【図面の簡単な説明】
【００１４】
【図１】この発明に係る陳列用ハンガーの実施の形態を示す正面図
【図２】図１に示す陳列用ハンガーを陳列用フラットバーに取付けた状態の斜視図
【図３】(ａ)は、従来の取付け具を用いてフック支持バーに陳列用ハンガーを取付けた状態の断面図、(ｂ)は、(ａ)の一部分を拡大して示す断面図、(ｃ)は高さの高い第２のフック支持バーに陳列用ハンガーを取付けた状態の断面図
【発明を実施するための形態】
【００１５】
以下、この発明の実施の形態を図面に基づいて説明する。図１は、陳列ネット用の陳列用ハンガーの実施の形態を示す。ここで、陳列ネット７０は、金属線材から成る多数の横バー７１と多数の縦バー７２とを格子状に配置してその交差部を溶接等の手段で固着している。
【００１６】
陳列用ハンガーは、シングルフックからなる陳列用フックＣと、その陳列用フックＣに固着された金属薄板製の係合枠３１とからなる。係合枠３１は、陳列ネット７０の隣接する上下の横バー７１間に衝合される正面パネル３２を有し、その正面パネル３２の上端に陳列ネット７０の横バー７１に係合される上部フック片３３を設け、正面パネル３２の下端に上記横バー７１の下方の横バー７１に圧接係合される下部フック片３４を形成し、その下部フック片３４の先端に下向きに操作片３４ａを設けている。
【００１７】
また、正面パネル３２にコの字形のスリット３５を、一対の縦スリット部３５ａの端部間にわたる横スリット部３５ｂが下部に位置するよう形成して、そのスリット３５の内側に前記陳列用フックＣが固着される弾性変形可能な弾性片３６を設けている。
【００１８】
さらに、正面パネル３２の高さ方向の中央部に正面側に張り出す折曲げ部３７を形成して、前記弾性片３６の下端部を前記横スリット部３５ｂの下側前部に重なり合わせるようにしている。
【００１９】
上記の構成からなる陳列ネット用の陳列用ハンガーにおいて、上部フック片３３を横バー７１に係合し、陳列用フックＣの先端部を押し下げる操作によって正面パネル３２の下端部を陳列ネット７０に向けて押圧すると、下部フック片３４が下側の横バー７１に圧接係合し、陳列ネット７０に陳列用ハンガーを簡単に取付けることができる。
【００２０】
陳列用ハンガーの上記のような取付け状態において、係合枠３１に下部フック片３４が横バー７１から離反する方向の回転モーメントが誤って負荷されたとしても、その回転モーメントは弾性片３６の弾性変形によって吸収されることになり、陳列用ハンガーが誤って取り外されるようなことはない。
【００２１】
また、陳列用ハンガーの取付け状態において、操作片３４ａを手前に引くと、下部フック片３４が係合解除し、陳列用ハンガーを簡単に取外すことができる。
【００２２】
図１に示す陳列用ハンガーにおいては、図２に示す陳列用フラットバー８０に対しても簡単に取付け、取外しすることができる。
【符号の説明】
【００２３】
Ｃ      陳列用フック
３１    係合枠
３２    正面パネル
３３    上部フック片
３４    下部フック片
３５    スリット
３５ａ  縦スリット部
３５ｂ  横スリット部
３６    弾性片
３７    折曲げ部
７０    陳列用ネット
７１    横バー
７２    縦バー
８０    陳列用フラットバー
【図１】
0005419239.tif 000002
【図２】
0005419239.tif 000003
【図３】
0005419239.tif 000004